(57)【要約】【課題】作業者の能力や経験に左右されることなく、作業者の安全を容易に確保すること。【解決手段】絶縁材料によって形成された第１のアーム１１１と、第１のアーム１１１に対して所定の間隔を空けて対向配置され導電性材料によって形成された第２のアーム１１２と、第１のアーム１１１に支持されて、第２のアーム１１２との間において対象物を挟持する第１の位置とそれ以外の位置とに変位可能なハンドル１２０と、導電性材料によって形成され、ハンドル１２０が第１の位置に位置づけられている場合に対象物に接触する接触子１２３と、ハンドル１２０が第１の位置に位置づけられている場合に第２のアーム１１２、接触子１２３および対象物とともに閉じられた回路を形成する回路部材１２７と、回路部材１２７と電気的に接続された発光素子１２４と、回路部材１２７によって形成される回路に給電する電源１２８と、を備えた接地端子装置１００を構成した。【選択図】図１
2018082547.tif 000002
【特許請求の範囲】
【請求項１】
絶縁材料によって形成された第１のアームと、
前記第１のアームに対して所定の間隔を空けて対向配置され導電性材料によって形成された第２のアームと、
前記第１のアームに支持されて、前記第２のアームとの間において対象物を挟持する第１の位置と当該第１の位置以外の位置とに変位可能なハンドルと、
導電性材料によって形成され、前記ハンドルが前記第１の位置に位置づけられている場合に前記対象物に接触する接触子と、
前記ハンドルが前記第１の位置に位置づけられている場合に前記第２のアーム、前記接触子および前記対象物とともに閉じられた回路を形成する回路部材と、
前記回路部材と電気的に接続された発光素子と、
前記回路部材によって形成される回路に給電する電源と、
を備えたことを特徴とする接地端子装置。
【請求項２】
前記発光素子は、前記ハンドルに設けられていることを特徴とする請求項１に記載の接地端子装置。
【請求項３】
前記発光素子は、複数箇所に設けられていることを特徴とする請求項１または２に記載の接地端子装置。
【請求項４】
前記ハンドルは、
前記第１のアームと前記第２のアームとの対向方向を軸心方向とし、当該第１のアームを前記対向方向に沿って貫通するネジ孔に螺合されるネジ軸部と、
前記ネジ軸部に連結されて、当該ネジ軸部の軸心方向に交差する方向に突出する把持部と、
を備えたことを特徴とする請求項１〜３のいずれか一つに記載の接地端子装置。
【発明の詳細な説明】
【技術分野】
【０００１】
この発明は、作業接地に用いる接地端子装置に関する。
【背景技術】
【０００２】
点検や補修などの目的のために、鉄塔の上部に架線されている送電線路を停電させる場合には、安全確保のため送電線をアースする必要がある。点検域に該当する特定の電路を停電させた場合にも、隣接活線による誘導電流が流れるため、安全確保のためには、停電中であっても点検域に該当する電路は必ずアースしておく必要がある。
【０００３】
関連する技術として、具体的には、従来、たとえば、アース線を介してアースフックと接続される接地端子本体が備える一対の腕部のうちの一方の腕部に、他方の腕部に対して進退可能な押圧部を設け、他方の腕部における押圧部との対向部分に係合穴を設けるとともに、押圧部に当該係合穴に係合される係合突起を設けた接地端子装置に関する技術があった（たとえば、下記特許文献１を参照。）。
【先行技術文献】
【特許文献】
【０００４】
【特許文献１】特開２０１１−６６９５２号公報
【発明の概要】
【発明が解決しようとする課題】
【０００５】
しかしながら、上述した従来の技術は、作業接地に際して作業者が触れる接地端子本体や押圧部が金属材料によって形成されているため、作業接地に際して、作業者は、高圧用電気絶縁ゴム手袋を着用する必要があった。また、高圧用電気絶縁ゴム手袋を着用していても、当該高圧用電気絶縁ゴム手袋にピンホールなどがあると絶縁耐力がなくなるため、作業に際しては、高圧用電気絶縁ゴム手袋の上にピンホール防止用のため厚手の革製の手袋をさらに着用して作業をおこなわなくてはならないという現状があった。
【０００６】
一方で、高圧用電気絶縁ゴム手袋やピンホール防止用の厚手の革製の手袋などを着用しておこなう作業は、細かい作業をおこないにくく、上述した従来の技術は作業性において改善の余地があった。また、上述した従来の技術は、高圧用電気絶縁ゴム手袋やピンホール防止用の厚手の革製の手袋などを着用して作業をおこなうため、接地端子装置が対象物に確実に取り付けられているかどうかの判断において作業者の能力や経験に左右される場合があった。このため、仮に、締め付けが緩い場合は、作業中にアースが外れてしまうことが懸念され、作業者の安全性において改善の余地があった。
【０００７】
この発明は、上述した従来技術による問題点を解消するため、作業者の能力や経験に左右されることなく、作業者の安全を容易に確保することができる接地端子装置を提供することを目的とする。
【課題を解決するための手段】
【０００８】
上述した課題を解決し、目的を達成するため、この発明にかかる接地端子装置は、絶縁材料によって形成された第１のアームと、前記第１のアームに対して所定の間隔を空けて対向配置され導電性材料によって形成された第２のアームと、前記第１のアームに支持されて、前記第２のアームとの間において対象物を挟持する第１の位置と当該第１の位置以外の位置とに変位可能なハンドルと、導電性材料によって形成され、前記ハンドルが前記第１の位置に位置づけられている場合に前記対象物に接触する接触子と、前記ハンドルが前記第１の位置に位置づけられている場合に前記第２のアーム、前記接触子および前記対象物とともに閉じられた回路を形成する回路部材と、前記回路部材と電気的に接続された発光素子と、前記回路部材によって形成される回路に給電する電源と、を備えたことを特徴とする。
【０００９】
また、この発明にかかる接地端子装置は、上記の発明において、前記発光素子が、前記ハンドルに設けられていることを特徴とする。
【００１０】
また、この発明にかかる接地端子装置は、上記の発明において、前記発光素子が、複数箇所に設けられていることを特徴とする。
【００１１】
また、この発明にかかる接地端子装置は、上記の発明において、前記ハンドルが、前記第１のアームと前記第２のアームとの対向方向を軸心方向とし、当該第１のアームを前記対向方向に沿って貫通するネジ孔に螺合されるネジ軸部と、前記ネジ軸部に連結されて、当該ネジ軸部の軸心方向に交差する方向に突出する把持部と、を備えたことを特徴とする。
【発明の効果】
【００１２】
この発明にかかる接地端子装置によれば、作業者の能力や経験に左右されることなく、作業者の安全を容易に確保することができるという効果を奏する。
【図面の簡単な説明】
【００１３】
【図１】この発明にかかる実施の形態１の接地端子装置の構成を示す説明図である。
【図２】この発明にかかる実施の形態１の接地端子装置を備えるアースフックの構成を示す説明図である。
【図３】この発明にかかる実施の形態２の接地端子装置の構成を示す説明図である。
【発明を実施するための形態】
【００１４】
以下に添付図面を参照して、この発明にかかる接地端子装置の好適な実施の形態を詳細に説明する。
【００１５】
（実施の形態１）
（接地端子装置の構成）
まず、この発明にかかる実施の形態１の接地端子装置の構成について説明する。図１は、この発明にかかる実施の形態１の接地端子装置の構成を示す説明図である。図１において、この発明にかかる実施の形態１の接地端子装置１００は、接地端子本体１１０を備えている。
【００１６】
接地端子本体１１０は、第１のアーム１１１と第２のアーム１１２とを備えている。第１のアーム１１１は、絶縁材料によって形成されている。第２のアーム１１２は、導電性材料によって形成されている。第１のアーム１１１と第２のアーム１１２とは、それぞれの一端側において、所定の間隔を空けて対向配置されている。第１のアーム１１１と第２のアーム１１２とは、所定の間隔を空けて対向する部分とは反対側の端部（他端側）において連結されており、１つの接地端子本体１１０を構成している。
【００１７】
第２のアーム１１２には、圧着端子１１３が設けられている。圧着端子１１３は、圧着端子押さえボルト１１４によって第２のアーム１１２に固定されている。圧着端子押さえボルト１１４は、第１のアーム１１１と第２のアーム１１２との対向方向に沿って第２のアーム１１２を貫通しており、第１のアーム１１１および第２のアーム１１２に螺合されている。圧着端子１１３および圧着端子押さえボルト１１４は、金属材料などの導電性材料を用いて形成されている。
【００１８】
圧着端子１１３には、接地リード線１１５の一端が取り付けられている。接地リード線１１５は、圧着端子１１３に取り付けられた一端側において、たとえば、接地リード線押さえ金具１１６によって第２のアーム１１２に固定されている。これにより、接地リード線１１５が圧着端子１１３との接続部分において、疲労などによって破断することを防止できる。
【００１９】
第１のアーム１１１には、ハンドル１２０が設けられている。ハンドル１２０は、ネジ軸部１２１と把持部１２２とを備えている。ネジ軸部１２１は、第１のアーム１１１と第２のアーム１１２との対向方向を軸心方向とする略円柱形状をなす。ネジ軸部１２１の外表面には、ネジ軸部１２１の軸心方向に沿って螺旋形状をなすネジ山が設けられている。
【００２０】
ネジ軸部１２１は、絶縁材料を用いて形成されている。具体的には、ネジ軸部１２１は、たとえば、強化プラスチックを用いて形成することができる。あるいは、ネジ軸部１２１は、ステンレス鋼などの金属材料を用いて形成され、表面を絶縁材料によって被覆することによって形成されていてもよい。ハンドル１２０は、ネジ軸部１２１の外表面に設けられたネジ山を、第１のアーム１１１に設けられたネジ孔（符号を省略する）に螺合させることによって、第１のアーム１１１に支持されている。
【００２１】
第１のアーム１１１に設けられたネジ孔は、第１のアーム１１１と第２のアーム１１２との対向方向に沿って、当該第１のアーム１１１を貫通している。ネジ軸部１２１は、第１のアーム１１１に設けられたネジ孔に螺合されることにより、第１のアーム１１１を貫通した状態で当該第１のアーム１１１に支持されている。ハンドル１２０は、ネジ穴に対するネジ軸部１２１の螺合状態を調整することによって、第２のアーム１１２との間において対象物を挟持する第１の位置と、当該第１の位置以外の位置とに変位可能に設けられている。
【００２２】
ネジ軸部１２１において、第２のアーム１１２側の端部には、接触子１２３が設けられている。接触子１２３は、第１のアーム１１１に対するハンドル１２０の位置に応じて位置が変化し、ハンドル１２０が第１の位置に位置づけられている場合に対象物に接触する。具体的に、接触子１２３は、ネジ穴に対するネジ軸部１２１の螺合状態を調整することによって位置が変化するハンドル１２０と一体に動く。接地端子装置１００は、ハンドル１２０の端部に設けられた接触子１２３と第２のアーム１１２との間に対象物を挟持することによって当該対象物に固定される。
【００２３】
接触子１２３は、ネジ軸部１２１に固定されておらず、ネジ軸部１２１に対して空転するように設けられている。具体的には、たとえば、ネジ軸部１２１における第２のアーム１１２側の端部と接触子１２３とを、第２のアーム１１２および接触子１２３の双方に対して回動可能に連結されたピンを介して連結し、いわゆるスイベルスナップのような構造によって、接触子１２３をネジ軸部１２１に対して空転するように設けることができる。
【００２４】
対象物は、たとえば、鉄塔の構築部材などのように、導電性を有する材料によって形成されている。送電用の鉄塔は、基礎部分が地中に埋設されている。このため、鉄塔は大地に接地された状態とされている。この発明にかかる実施の形態１の接地端子装置１００は、あらかじめ接地抵抗を低減する処理あるいは加工が施されていることが好ましい。対象物は、一部が大地に埋設されることによって接地機能を果たしているものであればよく、鉄塔に限定されるものではない。
【００２５】
接地抵抗を低減する処理あるいは加工は、具体的には、たとえば、鉄塔の構築部材の表面に設けられた塗装を除去して当該構築部材を露出させることによって実現することができる。あるいは、接地抵抗を低減する処理あるいは加工は、具体的には、たとえば、導電性を有する防錆剤などの塗料を塗布することによって実現されるものであってもよい。
【００２６】
把持部１２２は、ハンドル１２０において、ネジ軸部１２１における接触子１２３が設けられている側の端部とは反対側に設けられている。把持部１２２は、第１のアーム１１１を間にして、第２のアーム１１２とは反対側に設けられている。把持部１２２は、棒形状をなし、ネジ軸部１２１の外周面から、当該ネジ軸部１２１の軸心方向に交差する方向に突出している。把持部１２２は、ネジ軸部１２１の軸心から相反する２方向に突出している。
【００２７】
把持部１２２は、ネジ軸部１２１の外周面からの突出長さが、一般的な成人の掌における人差し指から小指までの長さと同等あるいはそれ以上であることが好ましい。これにより、作業者は、保護手袋を着用した状態であっても、把持部１２２を確実に把持する（握る）ことができ、対象物に対する接地端子装置１００の取り付けや取り外しを確実におこなうことができる。
【００２８】
把持部１２２は、絶縁材料を用いて形成されている。あるいは、把持部１２２は、たとえば、金属材料を用いて形成された芯材を絶縁材料によって覆うことによって形成されていてもよい。これにより、金属材料が有する強度を確保し、かつ、作業者が把持する把持部１２２を絶縁することができる。
【００２９】
ネジ軸部１２１において、把持部１２２が設けられている側の端部、すなわち、接触子１２３とは反対側の端部には、発光素子１２４が設けられている。発光素子１２４は、たとえば、ＬＥＤ（Ｌｉｇｈｔ  Ｅｍｉｔｔｉｎｇ  Ｄｉｏｄｅ）によって実現することができる。また、ネジ軸部１２１において、当該ネジ軸部１２１の内側には、接触子１２３と発光素子１２４とを電気的に接続する導電部材１２５が設けられている。導電部材１２５は、たとえば、金属材料によって形成された導線（電線）や金属材料によって形成された針金状の部材などによって実現することができる。
【００３０】
導電部材１２５と発光素子１２４、および、導電部材１２５と接触子１２３とは、ネジ軸部１２１が軸心周りに回動した場合にも導電部材１２５が捻れることがないように、ネジ軸部１２１の回動に対してそれぞれ空転するように設けられている。具体的には、たとえば、導電部材１２５と発光素子１２４、および、導電部材１２５と接触子１２３とを、上記のようなスイベルスナップのような構造体を介してそれぞれ連結することにより、導電部材１２５と発光素子１２４、および、導電部材１２５と接触子１２３とを、ネジ軸部１２１の回動に対してそれぞれ空転させることができる。
【００３１】
ハンドル１２０において、ネジ軸部１２１の外周には、ネジ軸部１２１の外径寸法と同等の内径寸法の環状部材１２６が設けられている。環状部材１２６は、導電材料によって形成されており、ネジ軸部１２１の内側に設けられた導電部材１２５と電気的に接続されている。環状部材１２６の内周面はネジ軸部１２１の外周面に設けられたネジ山と係合しておらず、このため、環状部材１２６は、ネジ軸部１２１が回転した場合は当該ネジ軸部１２１に対して空転する。具体的に、環状部材１２６の内周面は、たとえば、ネジ山などの凹凸が設けられていない平滑な面とされる。
【００３２】
環状部材１２６と圧着端子押さえボルト１１４とは、回路部材１２７によって電気的に接続されている。回路部材１２７は、環状部材１２６から、第１のアーム１１１における第２のアーム１１２とは反対側に取り回され、第１のアーム１１１を貫通して圧着端子押さえボルト１１４に接続された導線によって実現することができる。具体的に、回路部材１２７は、たとえば、ポリ塩化ビニルなどの絶縁材料を用いて形成されたカバーによって被覆された導線によって実現することができる。
【００３３】
接触子１２３は、回路部材１２７および圧着端子押さえボルト１１４を介して第２のアーム１１２に電気的に接続されている。ハンドル１２０が第１の位置に位置づけられることによって接触子１２３が導電性を有する材料によって形成された対象物に接触すると、接触子１２３と第２のアーム１１２とが対象物を介して電気的に接続される。これにより、回路部材１２７は、ハンドル１２０が第１の位置に位置づけられている場合に第２のアーム１１２、接触子１２３および対象物とともに閉じられた回路を形成する。
【００３４】
接地端子本体１１０には、電源１２８が設けられている。電源１２８は、回路部材１２７に電気的に接続されている。電源１２８は、たとえば、電池によって実現することができる。電池は、たとえば、コイン型ないしボタン型のリチウム電池、アルカリマンガン電池、酸化銀電池、空気亜鉛電池などの公知の各種の電池を用いることができる。コイン型ないしボタン型の電池を用いることにより、いわゆる乾電池と称される電池と比較して容量が小さいが、発光素子１２４として消費電力の少ないＬＥＤを用いることにより、十分な光量を得ることができる。
【００３５】
（アースフックの構成）
つぎに、この発明にかかる実施の形態１の接地端子装置１００を備えるアースフックの構成について説明する。図２は、この発明にかかる実施の形態１の接地端子装置１００を備えるアースフックの構成を示す説明図である。図２において、アースフック２００は、頭部金物２０１を備えている。頭部金物２０１は、頭部金物本体部２０２とフック２０３とを備えている。フック２０３は、支持軸２０４を介して頭部金物本体部２０２に連結されている。フック２０３は、頭部金物本体部２０２に対して支持軸２０４を中心として回動可能に連結されている。頭部金物本体部２０２およびフック２０３は、金属などの導電材料を用いて形成されており、電気的に接続されている。
【００３６】
頭部金物２０１には、操作棒２０５が連結されている。操作棒２０５は、所定の長さのパイプ状部材によって構成され、頭部金物２０１の取り付けに際して作業者によって把持される。操作棒２０５は、たとえば、エポキシ樹脂を用いて形成された樹脂パイプなどのように、電気絶縁性を有する材料を用いて形成されている。
【００３７】
頭部金物２０１には、接地リード線１１５の一端が接続されている。頭部金物２０１と接地リード線１１５とは電気的に接続されている。接地リード線１１５の頭部金物２０１とは反対側の一端は、接地端子装置１００に接続されている。これにより、頭部金物２０１と接地端子装置１００とは、電気的に接続されている。
【００３８】
（接地端子装置１００を用いた作業接地手順）
つぎに、この発明にかかる実施の形態１の接地端子装置１００を用いた作業接地手順について説明する。この発明にかかる実施の形態１の接地端子装置１００を用いた作業接地は、工事の対象となる電路を停電させた状態で、該当する送電線にアースフック２００を接続することによっておこなう。
【００３９】
具体的に、まず、接地端子装置１００を、対象物に取り付ける。作業接地に際しては、ハンドル１２０を操作して、接触子１２３を第２のアーム１１２から離間させる。接触子１２３は、鉄塔の構築部材などの対象物における、接地端子装置１００の取付位置の寸法に応じて、接触子１２３と第２のアーム１１２との間の距離が当該取付位置の寸法よりも大きくなるまで第２のアーム１１２から離間させる。
【００４０】
つぎに、離間させた接触子１２３と第２のアーム１１２との間に、鉄塔の構築部材などの対象物を位置づけた状態でハンドル１２０を操作して、接触子１２３を第２のアーム１１２に近づける。ハンドル１２０は、接触子１２３と第２のアーム１１２との間において対象物を挟持する第１の位置に位置づけられるまで操作する。
【００４１】
ハンドル１２０が第１の位置に位置づけられると、回路部材１２７、第２のアーム１１２、接触子１２３および対象物によって閉じられた回路が形成される。回路部材１２７には電源１２８が電気的に接続されているため、閉じられた回路が形成されると、電源１２８から発光素子１２４に給電され、当該発光素子１２４が発光する。作業者は、発光素子１２４が発光したことを目視によって確認することにより、接地端子装置１００が対象物に確実に固定されたことを判断することができる。
【００４２】
つぎに、接地リード線１１５により接地端子装置１００と接続されている頭部金物２０１を、該当する送電線に接続する。頭部金物２０１は、作業者が操作棒２０５を把持して、フック２０３を電線に引っ掛けることによって電線に接続することができる。これにより、頭部金物２０１、接地リード線１１５、接地端子装置１００を介して鉄塔などの対象物と電線とが電気的に接続され、電線に誘起する誘導電流を大地側に逃がすことができ、作業対象箇所を除電することができる。
【００４３】
充電している電線の周囲には電界が発生しており、この電界の中に大地と絶縁された物体が入ると帯電して大地との間に電圧が生じる、いわゆる静電誘導が発生する。この静電誘導による電界は、充電電圧が高いほど、あるいは、充電電線に近づくほど強くなる。たとえば、超高圧送電線の停止回線では２万ボルトに達することもある。
【００４４】
このため、送電線を停電しておこなう工事に際しては、上記のように、鉄塔上における作業箇所近傍に、誘導防止などの目的のためアースフック２００を取り付けて作業接地をおこなう。アースフック２００を取り付けて除電するための一連の接地取付作業に際しては、誘導感電事故を防止するために、低圧用の電気を絶縁するゴムなどの絶縁材料によって形成された手袋（低圧用電気絶縁ゴム手袋）ではなく高圧用電気絶縁ゴム手袋を着用することが望ましい。
【００４５】
しかしながら、高圧用電気絶縁ゴム手袋を着用していても、当該高圧用電気絶縁ゴム手袋にピンホールなどがあると絶縁耐力がなくなり、高電圧をかけると絶縁破壊して電流が流れ感電してしまうおそれがある。このため、作業に際しては、高圧用電気絶縁ゴム手袋の上にピンホール防止用のため厚手の革製の手袋をさらに着用して作業をおこなうことが望ましい。
【００４６】
一方で、高圧用電気絶縁ゴム手袋は厚手であるため、当該高圧用電気絶縁ゴム手袋を着用していると細かい作業をおこないにくい。さらに、高圧用電気絶縁ゴム手袋に革製の手袋を着用した状態では、細かい作業が一層おこないにくくなる。この状態で、対象物の取り付けに蝶ネジ構造を利用している従来の接地端子装置１００を取り付ける場合、締め付けや緩める作業における作業性が非常に悪かった。また、厚手の手袋では蝶ネジが締まる感覚が作業者の手に伝わりにくく、接地端子装置１００の取付が不十分になるおそれがあった。
【００４７】
これに対し、この発明にかかる実施の形態１の接地端子装置１００は、ハンドル１２０におけるネジ軸部１２１および把持部１２２の表面が絶縁材料によって形成されている。すなわち、作業接地に際して作業者が触れる部分が絶縁されている。これにより、作業者は、高圧用電気絶縁ゴム手袋やピンホール防止用のため厚手の革製の手袋を着用することなく、たとえば、皮手袋および軍手のみなどのように、作業者の手の感覚が機能する装備で把持部１２２を把持し、ハンドル１２０を操作することができる。
【００４８】
また、第１のアーム１１１が絶縁材料によって形成されている（少なくとも、外表面が絶縁材料によって被覆されている）ため、接地端子装置１００の取り付けをおこなう作業者は、把持部１２２以外の部分に触れることによる感電を懸念することなく、たとえば、皮手袋および軍手のみなどのように、作業者の手の感覚が機能する装備でハンドル１２０を操作することができる。
【００４９】
このように、高圧用電気絶縁ゴム手袋やピンホール防止用のため厚手の革製の手袋を着用することなく、たとえば、皮手袋および軍手のみなどのように、作業者の手の感覚が機能する装備で作業をおこなうことにより、接地端子装置１００の取り付けをおこなう作業者の安全性を確保するとともに、接地端子装置１００を対象物に確実に取り付けることができ、アースフック２００を用いておこなう作業全体における作業者の安全を確保することができる。
【００５０】
また、接地端子装置１００が対象物に確実に取り付けられている状態においては、発光素子１２４が発光しているため、接地端子装置１００の取り付けをおこなった作業者のみならず、接地端子装置１００の周辺にいる作業者も、接地端子装置１００における発光素子１２４の発光状態を目視するだけで、接地端子装置１００が対象物に確実に取り付けられていることを容易かつ確実に確認することができる。これにより、アースフック２００を用いておこなう作業を安心しておこなうことができる。
【００５１】
また、万一、接地端子装置１００と対象物との固定が緩くなった場合には、接地端子装置１００における発光素子１２４が消灯するため、接地端子装置１００の周辺にいる作業者は、作業中も接地端子装置１００における発光素子１２４の発光状態を目視するだけで、接地端子装置１００が対象物に確実に取り付けられているか否かを容易かつ確実に確認することができる。これにより、発光素子１２４が消灯した場合は、直ちに接地端子装置１００を取り付け直すことができ、アースフック２００を用いておこなう作業を安心しておこなうことができる。
【００５２】
図１においては、発光素子１２４としてのＬＥＤが１箇所に設けられている接地端子装置１００について説明したが、この発明にかかる接地端子装置１００が備える発光素子１２４は、１箇所に設けられているものに限らない。この発明にかかる接地端子装置１００が備える発光素子１２４は、複数箇所に設けられていてもよい。
【００５３】
具体的には、たとえば、ハンドル１２０における把持部１２２側の端部に加えて、第１のアーム１１１や第２のアーム１１２に発光素子１２４を設けてもよい。この場合、各発光素子１２４を、回路部材１２７、第２のアーム１１２、接触子１２３および対象物によって形成される回路に電気的にそれぞれ接続する。
【００５４】
たとえば、ハンドル１２０における把持部１２２側の端部に加えて、第１のアーム１１１に発光素子１２４を設けることにより、作業者は、把持部１２２を把持してハンドル１２０を操作する際に、ハンドル１２０に設けられた発光素子１２４および第１のアーム１１１に設けられた発光素子１２４を一度に視認することができる。これにより、作業接地をおこなう作業者は、故障などの原因によりいずれかの発光素子１２４が発光しない場合にも、別の発光素子１２４が発光していることを確認することにより、接地端子装置１００が対象物に確実に取り付けられているかどうかを判断することができる。
【００５５】
また、たとえば、ハンドル１２０における把持部１２２側の端部に加えて、第２のアーム１１２に発光素子１２４を設けることにより、ハンドル１２０を操作している作業者以外の作業者も、発光素子１２４の発光の有無を視認することができる。これにより、作業接地をおこなう作業者全員が、接地端子装置１００の取り付け完了を目視によって確認することができ、以降の作業に迅速に着手することができる。
【００５６】
また、たとえば、ハンドル１２０における把持部１２２側の端部に加えて、第１のアーム１１１および第２のアーム１１２に発光素子１２４を設けることにより、接地端子装置１００の周囲で作業をする作業者は、接地端子装置１００を視認することができる位置であれば、いずれの位置においても発光素子１２４の発光の有無を確認することができる。これにより、一度対象物に取り付けた接地端子装置１００が対象物から脱落したり、固定が緩くなった場合には直ちに確認することができ、接地端子装置１００を取り付け直したり、感電を回避するために避難したりするなど、迅速な対応をとることができる。
【００５７】
以上説明したように、この発明にかかる実施の形態１の接地端子装置１００は、絶縁材料によって形成された第１のアーム１１１と、第１のアーム１１１に対して所定の間隔を空けて対向配置され導電性材料によって形成された第２のアーム１１２と、第１のアーム１１１に支持されて、第２のアーム１１２との間において対象物を挟持する第１の位置と当該第１の位置以外の位置とに変位可能なハンドル１２０と、導電性材料によって形成され、ハンドル１２０が第１の位置に位置づけられている場合に対象物に接触する接触子１２３と、ハンドル１２０が第１の位置に位置づけられている場合に第２のアーム１１２、接触子１２３および対象物とともに閉じられた回路を形成する回路部材１２７と、回路部材１２７と電気的に接続された発光素子１２４と、回路部材１２７によって形成される回路に給電する電源１２８と、を備えたことを特徴としている。
【００５８】
この発明にかかる実施の形態１の接地端子装置１００によれば、接地端子装置１００を鉄塔などの対象物に固定するためにハンドル１２０を第１の位置に位置づけた状態においては、接触子１２３と第２のアーム１１２とが対象物を介して電気的に接続され、接触子１２３と対象物と第２のアーム１１２と回路部材１２７とによって閉じられた回路が形成される。この回路は電源１２８によって給電されているため、接地端子装置１００を鉄塔などの対象物に固定するだけで、発光素子１２４を発光させることができる。
【００５９】
これにより、作業者は、接地端子装置１００を鉄塔などの導電性の部材に固定する際に、発光素子１２４における発光の有無を目視によって確認することにより、接地端子装置１００が対象物に確実に取り付けられているかどうかを判断することができる。このように、この発明にかかる実施の形態１の接地端子装置１００によれば、作業者の能力や経験に左右されることなく、作業者の安全を容易に確保することができる。
【００６０】
また、この発明にかかる実施の形態１の接地端子装置１００は、発光素子１２４が、ハンドル１２０に設けられていることを特徴としている。
【００６１】
この発明にかかる実施の形態１の接地端子装置１００によれば、接地端子装置１００を対象物に固定する際に作業者が必ず操作するハンドル１２０に発光素子１２４を設けることにより、接地端子装置１００の取り付けによる発光素子１２４の発光の有無を容易かつ確実に視認させることができる。これにより、作業者の能力や経験に左右されることなく、作業者の安全を容易かつ確実に確保することができる。
【００６２】
また、この発明にかかる実施の形態１の接地端子装置１００は、発光素子１２４が、複数箇所に設けられていることを特徴としている。
【００６３】
この発明にかかる実施の形態１の接地端子装置１００によれば、複数の発光素子１２４の発光状態を見比べ、いずれかの発光素子１２４が発光していることを確認することにより、接地端子装置１００が対象物に確実に取り付けられているかどうかを容易かつ確実に判断することができる。これにより、損傷などの理由によりいずれかの発光素子１２４が発光しない場合にも、別の発光素子１２４が発光している場合は接地端子装置１００が容易かつ確実に取り付けられていることを判断することができる。
【００６４】
また、この発明にかかる実施の形態１の接地端子装置１００によれば、発光している発光素子１２４と発光していない発光素子１２４とが混在していることに基づいて、故障している発光素子１２４の有無および故障している発光素子１２４がある場合にはいずれの発光素子１２４が故障しているかを確認することができる。これにより、この発明にかかる実施の形態１の接地端子装置１００によれば、接地端子装置１００自体が正常に機能するかどうかを容易に確認することができ、正常に機能することが確認された接地端子装置１００を用いて接地作業をおこなうことができる。
【００６５】
また、接地端子装置１００を対象物に取り付けた状態においていずれかの発光素子１２４が発光しない場合は、発光していない発光素子１２４が損傷などによる不具合があることを確認できるため、接地端子装置１００を早期に修理することができる。これにより、接地端子装置１００の故障に気づかないまま当該接地端子装置１００を使用し続けることをなくし、常に正常な状態に維持された接地端子装置１００を使用することができる。
【００６６】
このように、この発明にかかる実施の形態１の接地端子装置１００によれば、作業者の能力や経験に左右されることなく、常に正常な状態に維持された接地端子装置１００を用いて作業接地をおこなうことができるので、作業者の安全を容易かつ確実に確保することができる。
【００６７】
また、この発明にかかる実施の形態１の接地端子装置１００は、ハンドル１２０が、第１のアーム１１１と第２のアーム１１２との対向方向を軸心方向とし、当該第１のアーム１１１を対向方向に沿って貫通するネジ孔に螺合されるネジ軸部１２１と、ネジ軸部１２１に連結されて、当該ネジ軸部１２１の軸心方向に交差する方向に突出する把持部１２２と、を備えたことを特徴としている。
【００６８】
この発明にかかる実施の形態１の接地端子装置１００によれば、作業接地をおこなう作業者は、感電を防止するために必須の厚手の防護手袋を着用した状態であっても、把持部１２２を把持した状態でネジ軸部１２１を回転させて接触子１２３を動かすことができる。これにより、防護手袋を脱着する煩雑さを解消するとともに、防護手袋を着用することにより作業者を感電から保護して安全性を確保することができる。また、把持部１２２を握った状態でネジ軸部１２１を回転させることによって接触子１２３を動かすことができるので、防護手袋を着用した状態で細かい作業をすることによる作業の遅延をなくし、作業接地にかかる作業効率の向上を図ることができる。
【００６９】
（実施の形態２）
（接地端子装置１００の構成）
つぎに、この発明にかかる実施の形態２の接地端子装置１００の構成について説明する。実施の形態２においては、上述した実施の形態１と同一部分は同一符号で示し、説明を省略する。
【００７０】
図３は、この発明にかかる実施の形態２の接地端子装置の構成を示す説明図である。図３において、この発明にかかる実施の形態２の接地端子装置３００は、接地端子本体３１０を備えている。接地端子本体３１０は、第１のアーム３１１と第２のアーム３１２とを備えている。第１のアーム３１１と第２のアーム３１２とは、金属材料を用いて一体に形成されている。具体的には、接地端子本体３１０は、たとえば、ステンレス鋼を用いて形成することができる。ステンレス鋼を用いて接地端子本体３１０を形成することにより、接地端子本体３１０の強度を確保するとともに耐食性の向上を図ることができる。
【００７１】
第１のアーム３１１には、ネジ軸部１２１と把持部１２２とを備えたハンドル１２０が設けられている。ハンドル１２０は、ネジ軸部１２１における第２のアーム３１２側に設けられた接触子１２３を備えている。接触子１２３は、第２のアーム３１２側に突出する突起３２１を備えている。第２のアーム３１２において、突起３２１と対向する位置には、突起３２１が嵌合可能な凹部３２２が形成されている。突起３２１は、ハンドル１２０が第１の位置に位置づけられた場合に、凹部３２２に嵌合する。
【００７２】
ハンドル１２０および接触子１２３は、金属材料を用いて形成されている。具体的には、ハンドル１２０および接触子１２３は、たとえば、ステンレス鋼を用いて形成することができる。ステンレス鋼を用いて接地端子本体３１０を形成することにより、ハンドル１２０および接触子１２３の強度を確保するとともに耐食性の向上を図ることができる。ハンドル１２０と接触子１２３とは、一体に成形されたものであってもよい。
【００７３】
接触子１２３本体には、一端が頭部金物２０１に電気的に接続された接地リード線１１５の他端が接続されている。接地リード線１１５の他端には、圧着端子１１３が設けられている。圧着端子１１３は、接触子１２３本体に設けられたネジ孔に螺合される圧着端子１１３ボルトによって接触子１２３本体に固定されている。これにより、接地リード線１１５を接触子１２３本体に固定することができる。また、接地リード線１１５は、接地リード線押さえ金具１１６によって接地端子本体３１０に固定されている。
【００７４】
実施の形態２の接地端子装置３００においては、接触子１２３における第２のアーム３１２との対向部分、および、第２のアーム３１２における接触子１２３との対向部分を除く表面が、すべて、絶縁材料によって被覆されている。絶縁材料は、厚さが１〜２ｍｍ程度となるように設ける。絶縁材料は、たとえば、コーティングによって設けることができる。絶縁材料は、具体的には、たとえば、塩化ビニル、ポリエチレン、天然ゴム、合成ゴム、フッ素、ウレタンなど公知の各種の材料を用いることができる。
【００７５】
（接地端子装置３００を用いた作業接地手順）
つぎに、この発明にかかる実施の形態２の接地端子装置３００を用いた作業接地手順について説明する。この発明にかかる実施の形態２の接地端子装置３００を用いた作業接地は、工事の対象となる電路を停電させた状態で、該当する送電線にアースフック２００を接続することによっておこなう。
【００７６】
具体的に、まず、接地端子装置３００を、対象物に取り付ける。作業接地に際しては、ハンドル１２０を操作して、接触子１２３を第２のアーム３１２から離間させる。接触子１２３は、鉄塔の構築部材などの対象物における、接地端子装置３００の取付位置の寸法に応じて、接触子１２３と第２のアーム３１２との間の距離が当該取付位置の寸法よりも大きくなるまで第２のアーム３１２から離間させる。
【００７７】
つぎに、離間させた接触子１２３と第２のアーム３１２との間に、鉄塔の構築部材などの対象物を位置づけた状態でハンドル１２０を操作して、接触子１２３を第２のアーム３１２に近づける。ハンドル１２０は、接触子１２３と第２のアーム３１２との間において対象物を挟持する第１の位置に位置づけられるまで操作する。
【００７８】
実施の形態２の接触端子装置は、突起３２１が係合可能な孔があらかじめ設けられた鉄塔などの対象物に取り付けられる。対象物に設けられた孔は、突起３２１と係合可能な内径を有する。孔は、貫通していてもよく、有底形状であってもよい。孔は、貫通していることが好ましい。
【００７９】
対象物に設けられた孔が貫通している孔である場合、ハンドル１２０が第１の位置に位置づけられると、突起３２１が対象物に設けられたが孔を貫通し、第２のアーム３１２と接触子１２３とが対象物を介して電気的に接続される。また、対象物に設けられた孔が有底形状である場合、ハンドル１２０が第１の位置に位置づけられると、突起３２１が対象物に設けられた孔に挿入された状態となって、第２のアーム３１２と接触子１２３とが対象物を介して電気的に接続される。
【００８０】
つぎに、接地リード線１１５により接地端子装置３００と接続されている頭部金物２０１を、該当する送電線に接続する。頭部金物２０１は、作業者が操作棒２０５を把持して、フック２０３を電線に引っ掛けることによって電線に接続することができる。これにより、頭部金物２０１、接地リード線１１５、接地端子装置３００を介して鉄塔などの対象物と電線とが電気的に接続され、電線に誘起する誘導電流を大地側に逃がすことができ、作業対象箇所を除電することができる。
【００８１】
以上説明したように、この発明にかかる実施の形態２の接地端子装置３００は、接触子１２３が第２のアーム３１２側に突出する突起３２１を備え、第２のアーム３１２が接触子１２３に設けられた突起３２１と嵌合する凹部３２２を備えているため、接触端子装置を対象物に引っ掛けた状態で取り付けることができる。これにより、作業接地をおこなった状態で、接地リード線１１５を引っ張る力が作用した場合にも、接地端子装置３００が対象物から脱落することを防止できる。
【００８２】
また、この発明にかかる実施の形態２の接地端子装置３００は、ハンドル１２０を操作して、ネジの螺合により突起３２１と凹部３２２とを嵌合させた状態で固定することができるため、ハンドル１２０を第１の位置に位置づけた状態を確実に維持することができる。これにより、作業接地をおこなった状態で、接地リード線１１５を引っ張る力が作用した場合にも、接地端子装置３００が対象物から脱落することをより確実に防止できる。
【００８３】
また、この発明にかかる実施の形態２の接地端子装置３００は、接触子１２３における第２のアーム３１２との対向部分、および、第２のアーム３１２における接触子１２３との対向部分を除く表面が、すべて、絶縁材料によって被覆されているため、高圧用電気絶縁ゴム手袋やピンホール防止用のため厚手の革製の手袋を着用することなく、たとえば、皮手袋および軍手のみなどのように、作業者の手の感覚が機能する装備で把持部１２２を把持し、ハンドル１２０を操作することができる。これにより、接地端子装置３００の取り付けをおこなう作業者の安全性を確保するとともに、接地端子装置３００を対象物に確実に取り付けることができ、アースフック２００を用いておこなう作業全体における作業者の安全を確保することができる。
【００８４】
また、この発明にかかる実施の形態２の接地端子装置３００は、接触子１２３における第２のアーム３１２との対向部分、および、第２のアーム３１２における接触子１２３との対向部分を除く表面を絶縁材料によって被覆することによって実現できる。これにより、アースフック２００を用いた作業をおこなう各事業所に常備してある既存の接地端子装置３００に絶縁材料をコーティングすることによってこの発明にかかる実施の形態２の接地端子装置３００を実現することができる。このように、既存の接地端子装置３００を用いることにより安価で簡易に実現することができ、これにより、この発明にかかる実施の形態２の接地端子装置３００の利用範囲を広げることができる。
【００８５】
既存の接地端子装置に絶縁材料をコーティングすることによってこの発明にかかる実施の形態２の接地端子装置３００を実現する場合、運用上、補修用として補修材（絶縁材料）を各事業所に用意しておくことが好ましい。これにより、絶縁材料の被覆が剥がれた場合、あるいは、定期的に補修材（絶縁材料）をコーティングすることができ、接地端子装置３００の安全性を永続的に確保することができる。
【００８６】
なお、この発明にかかる実施の形態２の接地端子装置３００においては、作業者が手で触れる部分のみ（たとえば、把持部１２２のみ、など）を、絶縁材料による被覆ではなく、絶縁性材料を用いて形成することにより、人体に対する更なる静電誘導防止の減少に寄与することができる。
【産業上の利用可能性】
【００８７】
以上のように、この発明にかかる接地端子装置は、接地に用いる接地端子装置に有用であり、特に、電線路における誘導電流を大地に逃がす作業接地に用いる接地端子装置に適している。
【符号の説明】
【００８８】
１００  接地端子装置
１１０  接地端子本体
１１１  第１のアーム
１１２  第２のアーム
１１３  圧着端子
１１４  圧着端子押さえボルト
１２０  ハンドル
１２１  ネジ軸部
１２２  把持部
１２３  接触子
１２４  発光素子
１２５  導電部材
１２６  環状部材
１２７  回路部材
１２８  電源
２００  アースフック
２０１  頭部金物
２０２  頭部金物本体部
２０３  フック
【図１】
2018082547.tif 000003
【図２】
2018082547.tif 000004
【図３】
2018082547.tif 000005